(57)【特許請求の範囲】
【請求項１】
平面から見て溝で分割される２つの分割部材を含む座部と、
前記座部の下方で上下方向に沿って延びて前記分割部材を支持する脚部材と
を備え、
前記座部の上面をいすの座面として使用され、前記溝の長手方向の一端から他端にかけてパネル体を挿入可能に構成され当該パネル体の支持スタンドとして用いられるようにした多用途家具。
【請求項２】
前記脚部材を複数備え、
各前記脚部材は、対応する前記分割部材を支持し、それらの下端部を互いに連結される請求項１の多用途家具。
【請求項３】
座部は、木製，プラスチック製，金属製，これらを複合したハイブリッド製のいずれかによる平板部材により形成され、前記脚部材は棒材又はパイプ材により形成された請求項１又は２の多用途家具。
【請求項４】
前記脚部材をその幅のピッチで平面上の位相をずらしながらスタッキングされるようにした請求項１〜３のいずれかの多用途家具。
【請求項５】
前記脚部材を平面上同位相でスタッキングされるようにした請求項１〜３のいずれかの多用途家具。
【請求項６】
前記溝にパネル体が挿し込まれる時、又は抜去される時に前記パネル体と対面する部位に、傷止めパッドを設けられる請求項１〜５のいずれかの多用途家具。
【発明の詳細な説明】
【技術分野】
【０００１】
本発明は椅子として利用できると共に、ホワイトボード等のパネル体を立姿勢でサポートするためのパネル体の支持スタンド等としても用いることができる多用途家具に関する。
【背景技術】
【０００２】
従来から２以上の用途，機能を備えた家具、例えば多用途椅子は数多くの提案があり、実用に供されているものもある。
【０００３】
多用途家具は、特許文献１，２などにより知られているように、構成部材を追加したり、取り除いたりする構成部材の加減、或は、構成部材を変形させるなどにより、例えば椅子を物載せ台に変形したり、ソファをベッドに変更する形態の家具である。
【０００４】
従来の多用途家具は、上記のように家具の構成部材を加減したり、構成部材の組合わせ形態を変形させて少なくとも２種類の家具としての用途を実現できるものが大半で、構成部材の加減や変形を伴うことはなく、複数種類の家具として用いることができる多用途家具は、見当たらない。
【先行技術文献】
【特許文献】
【０００５】
【特許文献１】特許第４９９５８７２号公報
【特許文献２】特開２００７−２９１３４号公報
【特許文献３】特開２００４−１２９８０７号公報
【発明の概要】
【発明が解決しようとする課題】
【０００６】
本発明は、公知の多用途家具の現状に鑑み、構成部材を加減したり、構成部材の組合せを変形したりすることなく、当初の形態のままで少なくとも２種類の用途に用いることができる多用途家具を提供することを、その課題とする。
【課題を解決するための手段】
【０００７】
上記課題を解決することを目的としてなされた本発明多用途家具の構成は、平面から見て溝で分割される２つの分割部材を含む座部と、前記座部の下方で上下方向に沿って延びて前記分割部材を支持する脚部材とを備え、前記座部の上面をいすの座面として使用され、前記前記溝の長手方向の一端から他端にかけてパネル体を挿入可能に構成され当該パネル体の支持スタンドとして用いられるようにしたことを特徴とする。
【０００８】
前記の各主，副両脚部材は、それらの下端部を環状の線材による安定環に結合した形態とすることにより、いす又はスタンドとしての安定性が高まる。この場合の環状は円形のほか多角形であってもよい。
【０００９】
また、前記分割部材は、木製，プラスチック製，金属製等の平板部材で形成すると共に主，副両脚部材はパイプ材や細い棒材などで形成することにより、家具としての重量軽減を図ると共に、見た目の軽量感を演出している。
【００１０】
本発明多用途家具は、前記２本の主脚取材がなす左右幅ピッチで平面から見た位相を変えてスタッキングするか、又は、前記主脚取材の位相をずらさず同位相でスタッキングすることができるから、不使用時の収納スペース効率が高い。
【００１１】
本発明多用途家具において、正面視略テーパ状をなす２本の主脚取材と、座部に関し前記主脚取材に直交する向きで配置する副脚部材は、座部の裏面側乃至外周側において両脚部材が全部連続した形態、いわば一筆書き形態に形成することができる。一筆書き形態の脚部材は、脚としての部品点数が一つになるから、座部への取付に手間がかからず、合理的な取付け作業を行うことができる。
【００１２】
本発明家具は、平面から見てほぼ中央部で２つに分割しその分割線に幅を持たせた２つの分割部材から成る座部と、前記分割部材における分割線の少なくとも長手方向両端部の下面に配置されて当該分割部材を支持する正面視略平行か、又は略テーパ状をなす２本の主脚部材と、前記分割部材の分割線と略直交する当該分割部材の外周側の端部の下面に配置されて当該分割部材を支持する副脚部材とを備えて形成したから、前記座部を、そのままいす（スツール）の座部として用いることができる一方、座部の分割部分とその下方に配置される主脚部材の略Ｕ状又は略Ｖ状部に、ホワイトボード等のパネル体を挿込めば、当該パネル体を立ち姿勢で保持する支持スタンドとして機能させることができる。
【００１３】
前記パネル体を保持したスタンドの複数個を左右方向に並べると、並んだパネル体がほぼ壁面と見なせるから、オフィス等で急遽、間仕切等が必要になった場合に、本発明家具とホワイトボード等のパネル体で容易に対応することができる。
ここで保持する前記パネル体が表示板であればサイネージとして設置できる。
【図面の簡単な説明】
【００１４】
【図１】本発明多用途家具の一例の斜視図。
【図２】図１の家具の正面図。
【図３】図１の家具の平面図。
【図４】図２の右側面図。
【図５】図２の底面図。
【図６】図１〜図５の家具を、ホワイトボードを立姿勢で支持する支持スタンドに用いた例の斜視図。
【図７】本発明多用途家具の他の例の斜視図。
【図８】図７の家具をパネル体の支持スタンドに用いた例の斜視図。
【図９】図８のパネル体の支持スタンドを壁状に並べた例の斜視図。
【図１０】本発明家具の分割部材が形成する溝に設けるパッド部材を説明するための要部の拡大側断面図。
【発明を実施するための形態】
【００１５】
次に、本発明多用途家具の実施の形態例について、図を参照して説明する。
【００１６】
図１〜図５は、本発明多用途家具の一例としてスツール（背もたれのないいす、以下、本明細書では、「いす」という。）を示している。
図１〜図５において、１は平面視略円形の座部で、図の例では平板状の木製部材を円形に整え、その円形のほぼ直径上で２つの分割部材Ｐ１，Ｐ２に分割し、その分割線を適宜の左右幅を有するテーパ状の側壁Ｐａ，Ｐｂを備えた無底のテーパ溝Ｐｖに形成している。座部１の材質は、木製に限られるものではなく、プラスチック製や金属製、或は、これらの複合体のハイブリッド製などであってもよい。
また、座部１の平面形状は、円形以外でもよい。例えば正方形等の多角形であってもよい。
【００１７】
２，３は上記分割部材Ｐ１とＰ２の分割線であるテーパ溝Ｐｖの長さ方向の両端部において、前記分割部材Ｐ１とＰ２を下から支持する主脚部材である。
図１〜図５に例示したテーパ溝Ｐｖの両端部に位置づけられた主脚部材２と３は、夫々の左右の縦部材の上端部が、前記溝Ｐｖに沿った水平な連結部２ａと３ａによって結合された形態になり、全体としてほぼ倒立Ｕ状を呈する１本の主脚部材２と３に形成されている。
【００１８】
４と５は、上記主脚部材２と３における夫々の水平連結部２ａと３ａの中点部に、夫々の水平部４ａ，５ａの先端部を接合し、その接合部から、分割部材Ｐ１とＰ２におけるテーパ溝Ｐｖに直交する向きに当該水平部４ａ，５ａを延ばし、座部１の外周縁から下方へ略９０度垂下させて延設した副脚部材である。ここで、副脚部材４，５は１本構成であるが、主脚部材２，３と同様に平行な２本形態にもできる。
【００１９】
図１〜図５に示した例においては、主脚部材２と３の夫々の下端部、並びに、副脚部材４と５の夫々の下端部を夫々に外向きに略４５度〜９０度程度曲げ、夫々の曲げの先端部２ｂ，３ｂ、４ｂ、５ｂを、リング状の安定環６の内周面に接合し、安定環６と一体化している。安定環６の形状は、円形に限られるものではなく、四角形等の多角形であってもよい。
【００２０】
図１〜図５による上記説明によって本発明多用途家具の一例であるいす（スツール）ＳＴを形成する。このいすＳＴは何らその構成部材に手を加えることなく、そのままで全く別の用途形態として、図６に例示するホワイトボードＷＢの支持スタンドとして用いることが出来る。以下、この支持スタンドの用途について説明する。
【００２１】
図１〜図５に例示したいすＳＴには、前記座部１における分割部材Ｐ１，Ｐ２の分割線が形成しているテーパ溝Ｐｖと、前記分割部材Ｐ１，Ｐ２のテーパ溝Ｐｖにおける長さ方向の両端部に位置した主脚部材２，３が形成する垂直向きの平行な溝Ｇとが、同一の垂直面内に存在する。
【００２２】
そこで、本発明では、同一垂直面内に在る前記座部１の水平向きのテーパ溝Ｐｖと、ほぼ平行な主脚部材２，３による垂直向きの溝Ｇの間に、ホワイトボードＷＢの下部側を挿入することにより、このホワイトボードＷＢをほぼ垂直姿勢に支持するパネル体のスタンドとして用いることができる。
【００２３】
ここで、前記の水平なテーパ溝Ｐｖの幅と主脚部材２，３が形成する垂直な溝Ｇの幅は、略同幅である一方、ホワイトボードＷＢの最大厚み部、例えばフレームの厚み寸法より少し大きめの幅に形成されている。ホワイトボードＷＢの抜き挿しを容易に行うためである。この点については、テーパ溝Ｐｖの側壁Ｐａ，Ｐｂも上半側がテーパ状に開いていることもパネル体の挿入を容易にする。
【００２４】
図１〜図６で説明した本発明多用途家具において、いす（スツール）ＳＴの形態としては、図７に例示する形態とすることができる。この点について、図７により説明するが、図７において、図１〜図６と同一部材，同一部位には同一符号を用いている。
【００２５】
図７のいすＳＴでは、主脚部材２，３が前記実施例のいすＳＴのように略平行ではなく、テーパ状に形成されており、また、前記実施例では副脚部材４と５が各１本であったところ、図７の例では、２本の副脚部材４１，４２と同５１，５２により形成し、かつ、主脚部材２，３のテーパ状と同様に２本の副脚部材４１，４２、同５１，５２もテーパ状に配置されている。
主脚部材２，３と副脚部材４１，４２、５１，５２がこのテーパ状の配置形態を採ったことにより、前記の各脚部材は、図７に例示したように座部１の下面乃至側面において各部材の上端部が、座部１の外周に沿って１本の部材となるように連結された形態になっている。
【００２６】
図７に示したいす（スツール）ＳＴも、その座部１における分割部材Ｐ１，Ｐ２の分割線が形成するテーパ溝Ｐｖとテーパ配置の主脚部材２，３が形成するテーパ溝Ｇｔに、図８に例示するパネル体Ｗｐを挿し込んで立姿勢で支持することができるから、パネル体Ｗｐの支持スタンドとして用いることができる。図７にしめしたいすＳＴの各主、副脚部材の下端部は、図示しないが前記安定環６に結合して一体化することが出来る。
【００２７】
図６や図８に示した本発明家具による支持スタンドの用途は、一例として、図９に例示するように、複数枚のホワイトボードＷＢやパネル体Ｗｐを並べて壁状に形成できるから、急遽、広い部屋を間仕切る必要が生じ場合などに、容易かつ迅速に間仕切機能を形成することができてすこぶる便利である。
【００２８】
図１０は、図１〜図６で説明した本発明家具のいすＳＴにおいて、ホワイトボードＷＢのテーパ溝Ｐｖと溝Ｇへの差し込みと抜去の際、当該ボードＷＢの表面が、前記溝ＰｖやＧへ接触したときすり傷が付かないようにすると共に、図１〜図５のいす（スツール）ＳＴをスタッキングしたとき、座部１の表面に、脚部材２ａ，３ａ、４ａ，５ａの水平部の下面が当接して座部１の表面に当たり傷を付けることがないようにするために設けた傷止めパッドＤｐの例を示した断面図である。
【００２９】
傷止めパッドＤｐは、座部１の裏面に配置された主脚部材２，３の水平部２ａ，３ａ、並びに、副脚部材４，５の水平部４ａ，５ａに、下方から嵌合させて取付けるため、断面大略Ｕ状のゴム系又はプラスチック系の弾性部材により形成されている。
【００３０】
前記パッドＤｐの下面ｄ１は、このいすＳＴをスタッキングしたときの下位のいすＳＴの座部１の表面への当り止めとして作用する。また、主脚部材２，３の水平部２ａ，３ａに取付けられる前記パッドＤｐの対向した前面ｄ２は、挿脱されるホワイトボードＷＢ等のパネル体のガイドを兼用し、パネル体表面への傷付け防止パッドとして作用する。
【００３１】
本発明は以上の通りであるから、スツールとしてのいすの用途とホワイトボードを始めとするパネル体をほぼ直立姿勢で保持するパネル体の支持スタンドとしての用途がある多用途家具を、至って簡潔な構造のスツール状の家具で実現することができる。
【符号の説明】
【００３２】
ＳＴ  本発明多用途家具（いすと支持スタンド）
１  座部
Ｐ１，Ｐ２  座部１の分割部材
Ｐｖ  テーパ溝
２，３  主脚部材
４，５  副脚部材
６  安定環
ＷＢ  ホワイトボード
【図１】
0006668044.tif 000002
【図２】
0006668044.tif 000003
【図３】
0006668044.tif 000004
【図４】
0006668044.tif 000005
【図５】
0006668044.tif 000006
【図６】
0006668044.tif 000007
【図７】
0006668044.tif 000008
【図８】
0006668044.tif 000009
【図９】
0006668044.tif 000010
【図１０】
0006668044.tif 000011